(57)【特許請求の範囲】
【請求項１】
床下に内部空間を有する通路に沿って設置され、前記通路に対向する前面から給気して上面又は背面から熱を帯びた空気を吹き出す機器収容用ラックと、吸引した空気を冷却する空気調和装置とを備え、前記空気調和装置から送出された冷却用空気が、前記内部空間を流動して前記通路の床に設けられた床開口部から該通路の床上に流動し、この冷却用空気が前記機器収容用ラックに収容された機器を冷却した後、前記機器収容用ラックの上方の空間を流動して前記空気調和装置に再び吸引される電算機室用空調システムであって、
前記機器収容用ラックの上面から前記通路側へ向けて延びる天壁部と、この天壁部から前記床へ向けて延びる側壁部とを有する遮蔽体が設けられており、
前記遮蔽体によって、前記機器収容用ラックの前面側に外部空間から区画された通路内空間が画成され、
前記側壁部と前記天壁部とのなす交差角が、該側壁部を回動させることにより角度調整可能とされているとともに、前記通路内空間の大きさが調整可能とされ、
前記交差角が、前記床開口部の前記通路の幅方向に沿う寸法に対応して設定されるとともに、前記側壁部の下端部が前記床開口部よりも前記幅方向の外側に配置されることを特徴とする電算機室用空調システム。
【請求項２】
請求項１に記載の電算機室用空調システムであって、
前記側壁部と前記天壁部とが、ヒンジ部材により互いに連結されていることを特徴とする電算機室用空調システム。
【請求項３】
請求項１に記載の電算機室用空調システムであって、
前記側壁部と前記天壁部とが、塑性変形可能な可撓部を介して互いに連結されていることを特徴とする電算機室用空調システム。
【請求項４】
請求項１〜３のいずれか一項に記載の電算機室用空調システムであって、
前記側壁部の前記床側の端部には、キャスター部材が配設されていることを特徴とする電算機室用空調システム。
【請求項５】
請求項４に記載の電算機室用空調システムであって、
前記キャスター部材は、前記端部から前記床側へ向けて突出する突出量を調整可能とされていることを特徴とする電算機室用空調システム。
【請求項６】
請求項１に記載の電算機室用空調システムであって、
前記側壁部は、柔軟性を有しているとともに、前記通路内空間を開閉可能に前記天壁部に支持されたシート部材からなることを特徴とする電算機室用空調システム。
【請求項７】
請求項１〜６のいずれか一項に記載の電算機室用空調システムであって、
前記天壁部は、前記機器収容用ラックの上面に対して着脱可能に連結され、
前記天壁部を前記上面から取り外した状態で、前記側壁部が該機器収容用ラックの前面に対して接近離間可能とされていることを特徴とする電算機室用空調システム。
【請求項８】
請求項１〜７のいずれか一項に記載の電算機室用空調システムであって、
前記天壁部は、前記機器収容用ラックの上面における前記背面側に配置された固定部で該上面に連結され、この固定部よりも前記前面側に配置された支持部上に載置されているとともに該支持部からは離間可能とされていることを特徴とする電算機室用空調システム。
【請求項９】
請求項１〜７のいずれか一項に記載の電算機室用空調システムであって、
前記天壁部は、前記機器収容用ラックの上面に配置されて上下に延びる軸部を中心に回動可能とされていることを特徴とする電算機室用空調システム。
【請求項１０】
請求項１〜８のいずれか一項に記載の電算機室用空調システムであって、
前記天壁部は、弾性変形可能な弾性ヒンジ部材を介して前記機器収容用ラックの上面に連結されていることを特徴とする電算機室用空調システム。
【請求項１１】
請求項１〜１０のいずれか一項に記載の電算機室用空調システムであって、
前記遮蔽体は、前記通路に沿って複数設けられており、
隣り合う前記遮蔽体同士の間には、前記通路内空間と外部空間とを区画するシール部が設けられていることを特徴とする電算機室用空調システム。
【請求項１２】
請求項１〜１１のいずれか一項に記載の電算機室用空調システムであって、
前記通路の延在方向の端部には、前記天壁部、前記側壁部、前記機器収容用ラックの前面及び前記床により囲まれた前記通路内空間の断面形状に対応して形成された端部遮蔽体が配設されていることを特徴とする電算機室用空調システム。
【請求項１３】
請求項１２に記載の電算機室用空調システムであって、
前記端部遮蔽体は、柔軟性を有するシート状に形成されているとともに、着脱可能とされていることを特徴とする電算機室用空調システム。
【請求項１４】
請求項１２に記載の電算機室用空調システムであって、
前記端部遮蔽体は、前記通路の幅方向に沿って延びるロール部材と、前記ロール部材に支持されるとともに巻き回されて、該通路の前記端部を開閉可能なキャップシート部材とを有することを特徴とする電算機室用空調システム。
【請求項１５】
請求項１２に記載の電算機室用空調システムであって、
前記端部遮蔽体は、前記天壁部に対応して配置されるとともに前記通路の幅方向に沿って延びるレール部材と、前記レール部材に沿って前記幅方向に移動することにより前記通路内空間を開閉させる扉部材とを有することを特徴とする電算機室用空調システム。
【請求項１６】
請求項１２〜１５のいずれか一項に記載の電算機室用空調システムであって、
前記側壁部と前記天壁部とのなす交差角が、該側壁部を回動させることにより角度調整可能とされており、この側壁部を前記機器収容用ラックの前面から離間させる向きに回動させた状態で、該側壁部と前記端部遮蔽体との間に生じる拡張領域に対応して、拡張部材が着脱可能に装着されていることを特徴とする電算機室用空調システム。
【発明の詳細な説明】
【技術分野】
【０００１】
本発明は、電算機室用空調システムに関する。
【背景技術】
【０００２】
従来、ある空間の空気の流れや温度を調整するための種々の空調システムが提案されている。
この種の空調システムの中には、高集約化・高発熱化の傾向にあるＩＴ機器や通信装置等が設置される電算機室内において、機器周辺の空気の流れや温度を調整する電算機室用空調システムが知られている。
電算機室用空調システムとしては、例えば通路を挟んで対向配置された複数の機器収容用ラックと、機器収容用ラックの側方であって、当該通路の延在方向に沿う外側に配置された空気調和装置とを備えたものがある。
【０００３】
このような構成のもと、空気調和装置が冷却用空気を通路へ向けて送出すると、冷却用空気は機器収容用ラックに吸い込まれる。そして、冷却用空気は機器収容用ラックに収容された機器を冷却することにより暖められた後、機器収容用ラックの上面又は背面から吹き出される。このように暖められ吹き出された空気は、電算機室の上方空間を流動して、空気調和装置に吸い込まれて再び冷却された後、通路へ向けて送出される。これにより、電算機室内の空気の流れや温度がコントロールされる。
【０００４】
ところが、暖められて機器収容用ラックから吹き出された空気の一部は、空気調和装置に送られることなく、上方空間からダイレクトに通路へ還流されてしまう場合がある。この場合、通路に還流された空気は、暖められた状態のまま再び機器収容用ラックに吸い込まれてしまうことになり、機器の冷却効率を低下させてしまう。
そこで、例えば特許文献１に記載の電算機室用空調システムでは、通路を挟んで対向する機器収容用ラックの上面同士の間に遮蔽板を架け渡すことにより、通路内の空間とその上方空間とを区画して、空気の流動を規制している。
【先行技術文献】
【特許文献】
【０００５】
【特許文献１】特許第３８３５６１５号公報
【発明の概要】
【発明が解決しようとする課題】
【０００６】
しかしながら、このような電算機室用空調システムにおいては、種々の現場レイアウトに応じて機器収容用ラックの配置も多様化しており、必ずしも前述のように、機器収容用ラック同士が通路を挟み対向配置されるとは限らない。この場合、前述した特許文献１のように、機器収容用ラック同士の間に遮蔽板を架け渡すことはできない。
【０００７】
ここで、機器収容用ラック同士の間に遮蔽板を架け渡すことができないケースについて、図を用いて具体的に説明する。図２６〜図２８は、電算機室内のレイアウトを説明する平面図であって、図中の符号３は電算機室に設けられた通路を示している。これら図２６〜図２８においては、通路３は図の上下方向に沿って延びており、通路３の床には前記冷却用空気を該通路３へ向けて送出するための床開口部５が設けられている。そして、図中の符号７はこの通路３に沿って配列された複数の機器収容用ラックを示している。図２６の例においては、通路３の幅方向（図２６における左右方向）の一方側（図２６における右側）にのみ該通路３に沿って機器収容用ラック７が配置されている。また、図２７の例では、機器収容用ラック７の通路３を挟んだ反対側（図２７における左側）には電算機室の壁面１Ａが位置している。このような場合には、機器収容用ラック７の上面から通路３へ向けて前記遮蔽板を架け渡そうとしても片持ち状態となることから、該遮蔽板を配設できない。
【０００８】
また、図２８に示すように、機器収容用ラック７同士が通路３を挟んで幅方向に対向配置された場合であっても、前記幅方向の一方側の機器収容用ラック７が、前記幅方向の他方側の機器収容用ラック７よりも該通路３に沿う長さが長く設定されることがある。この場合も、前記一方側の機器収容用ラック７において前記他方側の機器収容用ラック７に対向配置されない部分（図２８に示す領域Ｘ）には、前記遮蔽板を設けることはできない。また、図２６〜図２８の設置例では、複数の機器収容用ラック７が通路３に沿って配列されて所謂「架列」を構成しているが、機器収容用ラック７がこのような架列を構成していない場合もある。すなわち、機器収容用ラック７が単独に、又は、ランダムに設置されているような場合があり、このような場合にも、前記遮蔽体を設けることができない。
【０００９】
本発明は、このような事情に鑑みてなされたものであって、例えば通路の幅方向の一方側にのみ機器収容用ラックが配置されているような現場レイアウトであっても、通路内空間とその外部空間とを確実に区画でき、当該機器収容用ラックが収容する機器を効率よく冷却できる電算機室用空調システムを提供することを目的としている。
【課題を解決するための手段】
【００１０】
前記目的を達成するために、本発明は以下の手段を提案している。
すなわち本発明は、床下に内部空間を有する通路に沿って設置され、前記通路に対向する前面から給気して上面又は背面から熱を帯びた空気を吹き出す機器収容用ラックと、吸引した空気を冷却する空気調和装置とを備え、前記空気調和装置から送出された冷却用空気が、前記内部空間を流動して前記通路の床に設けられた床開口部から該通路の床上に流動し、この冷却用空気が前記機器収容用ラックに収容された機器を冷却した後、前記機器収容用ラックの上方の空間を流動して前記空気調和装置に再び吸引される電算機室用空調システムであって、前記機器収容用ラックの上面から前記通路側へ向けて延びる天壁部と、この天壁部から前記床へ向けて延びる側壁部とを有する遮蔽体が設けられており、前記遮蔽体によって、前記機器収容用ラックの前面側に外部空間から区画された通路内空間が画成され、前記側壁部と前記天壁部とのなす交差角が、該側壁部を回動させることにより角度調整可能とされているとともに、前記通路内空間の大きさが調整可能とされ、前記交差角が、前記床開口部の前記通路の幅方向に沿う寸法に対応して設定されるとともに、前記側壁部の下端部が前記床開口部よりも前記幅方向の外側に配置されることを特徴とする。
【００１１】
本発明に係る電算機室用空調システムによれば、遮蔽体における天壁部が通路内空間と機器収容用ラックの上方空間とを区画し、側壁部が通路内空間と該通路の機器収容用ラックの前面側とは反対側（すなわち側壁部の外側）に位置する側方空間とを区画する。このような構成により、通路内空間がその外部空間とは確実に区画されているとともに気密性が確保されている。従って、遮蔽体に覆われた通路内空間に冷却用空気が確実に充満されるとともに機器収容用ラックの前面から吸い込まれて、機器収容用ラックに収容された機器の冷却効率が高められている。
【００１２】
詳しくは、空気調和装置から通路内空間に送出された冷却用空気が、機器収容用ラックの機器を冷却せずに空気調和装置に還流されるようなことがない。また、機器収容用ラックから吹き出された熱を帯びた空気が、通路内空間に直接還流されて機器収容用ラックの前面から吸い込まれるようなことが防止されるとともに空気調和装置に確実に送られる。従って、必要最小限の風量で空気調和装置を運転させることができるため、該空気調和装置の効率が向上する。
【００１３】
そして、この遮蔽体は、その天壁部の少なくとも一部を機器収容用ラックの上面に配置し、側壁部の下端部を通路の床上に配置しているのみの簡便な設置とされている。従って、この遮蔽体を設置するにあたって、従来のように、当該機器収容用ラックと他の機器収容用ラックや周辺機器との相対的な位置関係などの、電算機室のレイアウトの影響を受けにくい。
【００１４】
すなわち、この遮蔽体は、例えば、通路の幅方向の一方側にのみ機器収容用ラックが配置されているような場合であっても設置可能である。また、機器収容用ラックの通路を挟んだ反対側に電算機室の壁面が配置されるような場合にも設置できる。また、機器収容用ラック同士が通路を挟んで対向配置された際に、通路を挟んで機器収容用ラックの前面と背面とが対向するような場合も、この遮蔽体を設置して通路内空間を容易に画成できる。また、機器収容用ラック同士が通路を挟んで対向配置された際に、通路の幅方向の一方側（他方側）に配置された機器収容用ラックにおける該通路の延在方向に沿う長さが、前記幅方向の他方側（一方側）に配置された機器収容用ラックの前記長さよりも長く設定された場合においても、機器収容用ラックの前記長さの長い部分に対応して、該遮蔽体を容易に設置することができる。また、複数の機器収容用ラックが通路に沿って配列された、所謂「架列」を構成する設置以外の場合であっても、本発明を適用可能である。すなわち、高発熱の機器収容用ラックが単独に、又は、ランダムに設置されているような場合であっても、前述した遮蔽体を容易に設置することができる。
【００１５】
さらに、このような遮蔽体の構成によれば、遮蔽体が覆う通路内空間の大きさ（容量）を自由に設定できる。従って、例えば、空調設計上必要とされる冷却風量に応じて通路内空間の容量を変更することができる。
【００１７】
また、側壁部と天壁部との間に形成された交差角が、側壁部を回動させて角度調整可能とされている。詳しくは、側壁部を、その上端部を中心に回動させることで、該側壁部の床側の端部（すなわち下端部）が機器収容用ラックの前面に対して接近離間される。従って、通路の床に開口された床開口部の大きさ（幅）に合わせて、側壁部を回動させるとともに、前記下端部の位置を調整することができる。
【００１８】
そして、床開口部の幅が大きい場合には、側壁部を機器収容用ラックの前面から離間させる向きに回動させることにより、遮蔽体が該床開口部を充分に覆うことになるので、通路内空間に充分な容量の冷却用空気を取り入れることができる。また一方、床開口部の幅が小さい場合には、側壁部を機器収容用ラックの前面に接近させる向きに回動させることにより、通路内空間の容量を小さくできるので、冷却効率がより高められる。
【００１９】
また、本発明に係る電算機室用空調システムにおいて、前記側壁部と前記天壁部とが、ヒンジ部材により互いに連結されていることとしてもよい。
【００２０】
本発明に係る電算機室用空調システムによれば、側壁部と天壁部とがヒンジ部材により互いに連結されているので、前述した角度調整が容易に行える。この場合、遮蔽体を設置した後や、機器収容用ラックの入れ替え時などであっても、現場において自由に前述の角度調整が行えるという利点を有する。
【００２１】
また、本発明に係る電算機室用空調システムにおいて、前記側壁部と前記天壁部とが、塑性変形可能な可撓部を介して互いに連結されていることとしてもよい。
【００２２】
本発明に係る電算機室用空調システムによれば、側壁部と天壁部とが塑性変形可能な可撓部を介して連結されているので、この可撓部に外力を加えて塑性変形させることで、前述した角度調整を容易に行うことが可能である。またこの場合、前述の角度調整後において、ネジ止め等の固定を特に必要としないことから、作業性に優れている。
【００２３】
また、本発明に係る電算機室用空調システムにおいて、前記側壁部の前記床側の端部には、キャスター部材が配設されていることとしてもよい。
【００２４】
本発明に係る電算機室用空調システムによれば、側壁部の床側の端部にキャスター部材が配設されているので、遮蔽体を機器収容用ラックに装着する設置時等の移動が容易である。また一般に、機器収容用ラックは、比較的高さが高く、かつ、内部に重量のある通信装置等が収容されているので、地震等が生じた場合には、その上面が床面に対して大きく変位することがあるが、この構成によれば、遮蔽体を通路の床に対して固定することなく設置できるので、地震等により機器収容用ラックが振動又は揺動した際に、遮蔽体が床上で該機器収容用ラックの前記変位に対応するように移動して、機器収容用ラックや遮蔽体の破損が防止される。
【００２５】
また、本発明に係る電算機室用空調システムにおいて、前記キャスター部材は、前記端部から前記床側へ向けて突出する突出量を調整可能とされていることとしてもよい。
【００２６】
本発明に係る電算機室用空調システムによれば、キャスター部材が、側壁部の床側の端部から床側へ向けて突出する突出量を調整可能とされているので、該キャスター部材は確実に通路の床面に当接されるとともに、遮蔽体の設置状態が安定する。また、例えば側壁部を前述のように回動させて角度調整した際には、該側壁部の床側の端部から床面までの距離が変動することになるが、キャスター部材の突出量を調整して容易に対応可能である。
【００２７】
また、本発明に係る電算機室用空調システムにおいて、前記側壁部は、柔軟性を有しているとともに、前記通路内空間を開閉可能に前記天壁部に支持されたシート部材からなることとしてもよい。
【００２８】
本発明に係る電算機室用空調システムによれば、側壁部が、柔軟性を有しているとともに、通路内空間を開閉可能に天壁部に支持されたシート部材からなるので、この側壁部は、巻き回したり重ね合わせたりすることでコンパクトに収容可能である。そして、側壁部が収容された際には、通路に作業スペースを充分に確保できる。
【００２９】
詳しくは、例えば、遮蔽体が設けられた一の機器収容用ラックの通路を挟んだ反対側に、他の機器収容用ラックや周辺機器等（以下「他の設備機器」）が設置されているような場合に、他の設備機器のメンテナンス時には、必要に応じて前記側壁部を収容して通路に充分な作業スペースを確保できる。そして、メンテナンスが終了したら、前記側壁部を元の状態に戻すことで、通路内空間とその外部空間とが再び区画される。
【００３０】
また、側壁部のシート部材は、前述のように柔軟性を有しているので、地震等により機器収容用ラック及び遮蔽体が振動又は揺動した際に容易に変形でき、破損が防止される。
具体的には、例えば、このような側壁部としては、天壁部に支持されたカーテン状のシート部材が考えられる。この場合、シート部材を通路に沿って折り畳むように重ね合わせてコンパクトに収容できるとともに、通路内空間を容易に開閉できる。また或いは、側壁部が、天壁部に支持されているとともに、該天壁部へ向けて巻き回されることにより収容可能なロール状のシート部材からなることとしてもよく、この場合、通路内空間を容易に開閉できるとともに気密に遮蔽しやすく、かつ、作業の際に該側壁部がより邪魔になり難い。
【００３１】
また、本発明に係る電算機室用空調システムにおいて、前記天壁部は、前記機器収容用ラックの上面に対して着脱可能に連結され、前記天壁部を前記上面から取り外した状態で、前記側壁部が該機器収容用ラックの前面に対して接近離間可能とされていることとしてもよい。
【００３２】
本発明に係る電算機室用空調システムによれば、遮蔽体の天壁部が機器収容用ラックの上面に対して着脱可能に連結されており、該天壁部が前記上面から取り外されることにより、この遮蔽体の側壁部が機器収容用ラックに対して接近離間可能とされているので、該遮蔽体が覆う通路内空間の幅を容易に変えられる。
【００３３】
従って、例えば、遮蔽体が設けられた一の機器収容用ラックの通路を挟んだ反対側に他の設備機器が設置されているような場合に、他の設備機器のメンテナンス時には、必要に応じて前記側壁部を一の機器収容用ラックの前面に対して接近させるとともに遮蔽体を該一の機器収容用ラック側に向けて移動させ、通路に容易に作業スペースを確保できる。そして、メンテナンスが終了したら、前記側壁部を一の機器収容用ラックの前面から離間させるとともに天壁部を該機器収容用ラックの上面に再び連結して、遮蔽体を元の状態に戻せばよい。
【００３４】
また、本発明に係る電算機室用空調システムにおいて、前記天壁部は、前記機器収容用ラックの上面における前記背面側に配置された固定部で該上面に連結され、この固定部よりも前記前面側に配置された支持部上に載置されているとともに該支持部からは離間可能とされていることとしてもよい。
【００３５】
本発明に係る電算機室用空調システムによれば、遮蔽体の天壁部は、機器収容用ラックの上面における固定部を中心に開閉するように回動可能とされている。また、地震等により機器収容用ラックが振動又は揺動した際には、遮蔽体の天壁部が前述のように回動して支持部から離間することから、破損が防止される。すなわち、例えば、天壁部が機器収容用ラックの上面に前述の回動不可に固定された場合には、地震等により遮蔽体が該機器収容用ラックと一体的に大きく振動又は揺動して破損する虞があるが、本発明によればこのようなことが防止される。
【００３６】
また、本発明に係る電算機室用空調システムにおいて、前記天壁部は、前記機器収容用ラックの上面に配置されて上下に延びる軸部を中心に回動可能とされていることとしてもよい。
【００３７】
本発明に係る電算機室用空調システムによれば、天壁部が、機器収容用ラックの上面に配置された軸部を中心に回動可能とされているので、地震等により機器収容用ラックが振動又は揺動した際に、該機器収容用ラックに対して天壁部が軸部回りに回動される。このような構成によれば、地震等の際に遮蔽体が機器収容用ラックと一体的に大きく振動又は揺動するようなことが抑制されて、機器収容用ラック及び遮蔽体の破損が防止される。
【００３８】
また、本発明に係る電算機室用空調システムにおいて、前記天壁部は、弾性変形可能な弾性ヒンジ部材を介して前記機器収容用ラックの上面に連結されていることとしてもよい。
【００３９】
本発明に係る電算機室用空調システムによれば、天壁部が、弾性変形可能な弾性ヒンジ部材を介して機器収容用ラックの上面に連結されているので、遮蔽体は弾性ヒンジ部材を中心に通路を開閉するように回動可能とされている。また、地震等の際には、機器収容用ラックと遮蔽体とを繋ぐ弾性ヒンジ部材が弾性変形して振動又は揺動を吸収するように作用し、機器収容用ラック及び遮蔽体が一体的に大きく振動又は揺動することが大幅に抑制されるとともに、機器収容用ラック及び遮蔽体の破損が防止される。さらに、この場合、地震等がおさまれば、弾性ヒンジ部材の弾性復元力によって遮蔽体の機器収容用ラックに対する姿勢（位置）が元の状態に戻るので、地震等の後の復旧作業が容易である。
【００４０】
また、本発明に係る電算機室用空調システムにおいて、前記遮蔽体は、前記通路に沿って複数設けられており、隣り合う前記遮蔽体同士の間には、前記通路内空間と外部空間とを区画するシール部が設けられていることとしてもよい。
【００４１】
本発明に係る電算機室用空調システムによれば、通路に沿って複数の遮蔽体が設けられており、隣り合う遮蔽体同士の間には、通路内空間と外部空間とを区画するシール部が設けられているので、冷却用空気が遮蔽体同士の間から外部空間に漏れ出ることが防止されて、通路内空間に効率よく充満される。従って、機器収容用ラック内の機器の冷却効率が充分に確保される。
【００４２】
また、本発明に係る電算機室用空調システムにおいて、前記通路の延在方向の端部には、前記天壁部、前記側壁部、前記機器収容用ラックの前面及び前記床により囲まれた前記通路内空間の断面形状に対応して形成された端部遮蔽体が配設されていることとしてもよい。
【００４３】
本発明に係る電算機室用空調システムによれば、通路の延在方向の端部には、該通路の前記断面形状に対応するように端部遮蔽体が配設されているので、通路内空間と外部空間とが確実に区画される。従って、通路内空間に充満した冷却用空気が外部空間に漏れ出たり、機器収容用ラック内の機器を冷却した後の熱を帯びた空気が通路内空間に直接還流されてしまったりするようなことがより確実に防止される。
【００４４】
また、本発明に係る電算機室用空調システムにおいて、前記端部遮蔽体は、柔軟性を有するシート状に形成されているとともに、着脱可能とされていることとしてもよい。
【００４５】
本発明に係る電算機室用空調システムによれば、端部遮蔽体が、柔軟性を有するシート状に形成されているので、地震等により機器収容用ラック及び遮蔽体が振動又は揺動した際に容易に変形でき、破損が防止される。また、作業者が通路内空間に入る場合には、端部遮蔽体を着脱して容易に出入りできる。
【００４６】
また、本発明に係る電算機室用空調システムにおいて、前記端部遮蔽体は、前記通路の幅方向に沿って延びるロール部材と、前記ロール部材に支持されるとともに巻き回されて、該通路の前記端部を開閉可能なキャップシート部材とを有することとしてもよい。
【００４７】
本発明に係る電算機室用空調システムによれば、端部遮蔽体がロール部材とキャップシート部材とを有し、キャップシート部材がロール部材に巻き回されることにより通路の端部を開閉可能であるので、作業者が通路内に容易にアクセスできる。また、地震等により機器収容用ラック及び遮蔽体が振動又は揺動した際にも、キャップシート部材が変形して破損が防止される。
【００４８】
また、本発明に係る電算機室用空調システムにおいて、前記端部遮蔽体は、前記天壁部に対応して配置されるとともに前記通路の幅方向に沿って延びるレール部材と、前記レール部材に沿って前記幅方向に移動することにより前記通路内空間を開閉させる扉部材とを有することとしてもよい。
【００４９】
本発明に係る電算機室用空調システムによれば、通路内空間の密閉性を確保できるとともに、扉部材をレール部材に沿って開閉させるのみの簡便な操作によって作業者が通路内に容易にアクセス可能である。
【００５０】
また、本発明に係る電算機室用空調システムにおいて、前記側壁部と前記天壁部とのなす交差角が、該側壁部を回動させることにより角度調整可能とされており、この側壁部を前記機器収容用ラックの前面から離間させる向きに回動させた状態で、該側壁部と前記端部遮蔽体との間に生じる拡張領域に対応して、拡張部材が着脱可能に装着されていることとしてもよい。
【００５１】
本発明に係る電算機室用空調システムによれば、側壁部が天壁部に対して機器収容用ラックの前面から離間する向きに回動させられた場合であっても、該側壁部と端部遮蔽体との間に生じる拡張領域に対応して、拡張部材が着脱可能に装着されているので、通路内空間が確実に気密に遮蔽される。従って、前述した冷却効率が充分に確保される。
【発明の効果】
【００５２】
本発明に係る電算機室用空調システムによれば、現場レイアウトに影響されることなく、通路内空間とその外部空間とを確実に区画でき、当該機器収容用ラックが収容する機器を効率よく冷却できる。
【図面の簡単な説明】
【００５３】
【図１】本発明の第１の実施形態に係る電算機室用空調システムの概略構成を示す斜視図である。
【図２】本発明の第１の実施形態に係る電算機室用空調システムの機器収容用ラックと遮蔽体との連結部位を拡大して示す分解斜視図である。
【図３】本発明の第１の実施形態に係る電算機室用空調システムの概略構成を示す平面図である。
【図４】本発明の第１の実施形態に係る電算機室用空調システムの概略構成を示す側面図である。
【図５】図４におけるＢ部を拡大して示す斜視図である。
【図６】本発明の第１の実施形態に係る電算機室用空調システムにおける遮蔽体及び支持部材の連結部位の変形例を示す斜視図である。
【図７】本発明の第１の実施形態に係る電算機室用空調システムにおける遮蔽体及び支持部材の連結部位の変形例を示す側面図である。
【図８】本発明の第２の実施形態に係る電算機室用空調システムの概略構成を示す斜視図である。
【図９】本発明の第２の実施形態に係る電算機室用空調システムのヒンジ部材を拡大して示す分解斜視図である。
【図１０】本発明の第２の実施形態に係る電算機室用空調システムのヒンジ部材を拡大して示す斜視図である。
【図１１】本発明の第２の実施形態に係る電算機室用空調システムの概略構成を示す側面図である。
【図１２】本発明の第３の実施形態に係る電算機室用空調システムの概略構成を示す斜視図である。
【図１３】本発明の第３の実施形態に係る電算機室用空調システムのシール部を拡大して示す斜視図である。
【図１４】本発明の第３の実施形態に係る電算機室用空調システムのシール部を拡大して示す斜視図である。
【図１５】本発明の第３の実施形態に係る電算機室用空調システムの中間部材を拡大して示す斜視図である。
【図１６】本発明の第３の実施形態に係る電算機室用空調システムの概略構成を示す側面図である。
【図１７】本発明の第３の実施形態に係る電算機室用空調システムの機器収容用ラックと遮蔽体との連結部位を拡大して示す分解斜視図である。
【図１８】本発明の第３の実施形態に係る電算機室用空調システムのキャスター部材を拡大して示す正面図である。
【図１９】本発明の第３の実施形態に係る電算機室用空調システムのキャスター部材を拡大して示す正面図である。
【図２０】本発明の第４の実施形態に係る電算機室用空調システムの概略構成を示す斜視図である。
【図２１】本発明の第４の実施形態に係る電算機室用空調システムの概略構成を示す斜視図である。
【図２２】本発明の第４の実施形態に係る電算機室用空調システムの概略構成を示す側面図である。
【図２３】本発明の第５の実施形態に係る電算機室用空調システムの概略構成を示す側面図である。
【図２４】本発明の第５の実施形態に係る電算機室用空調システムの遮蔽体を収容した状態を拡大して示す側面図である。
【図２５】図２３におけるＣ部を拡大して示す図である。
【図２６】電算機室における機器収容用ラックの設置例を説明する平面図である。
【図２７】電算機室における機器収容用ラックの設置例を説明する平面図である。
【図２８】電算機室における機器収容用ラックの設置例を説明する平面図である。
【発明を実施するための形態】
【００５４】
（第１実施形態）
以下、本発明の第１の実施形態に係る電算機室用空調システム１０について、図１〜図７を参照して説明する。
この電算機室用空調システム１０は、例えば箱状に区画された電算機室１において利用されるものである。図１に示すように、電算機室１は、床下に内部空間２を有する通路３を備えており、この通路３は、二重床（床）４の床上に延びて形成されている。また、二重床４には、床下から床上に貫通する略矩形状の床開口部５が形成されている。床開口部５には、略矩形状の孔あきパネル６が嵌め込まれている。孔あきパネル６には、その厚さ方向に貫通する矩形状又は円形状の長孔が所要の冷却風量に応じて複数形成されている。このように、二重床４は、床下の内部空間２と床上の通路３の空間とを床開口部５の孔あきパネル６を介して連通させている。
【００５５】
この電算機室１において利用される電算機室用空調システム１０は、通路３の延在方向に沿って配置された複数の機器収容用ラック７と、この通路３の延在方向に沿う外側に配置された空気調和装置８とを備えている。本実施形態では、機器収容用ラック７は、通路３の幅方向の一方側にのみ配列されている。
【００５６】
機器収容用ラック７は、略直方体形の箱状に形成されており、その内部には通信装置等の各種機器が収容されている。また、機器収容用ラック７は、通路３に対向する前面７Ａが給気口とされているとともに該通路３内の空気を給気し、上面７Ｂ（又は図示しない背面）に設けられた複数の軸流ファンが吹出口とされているとともにこれら軸流ファンから該機器収容用ラック７内を通過して熱を帯びた空気を吹き出すようになっている。
【００５７】
ここで、この電算機室用空調システム１０における冷却作用について説明する。
電算機室１では、機器収容用ラック７に収容された通信装置などの機器が動作することにより、これら機器が熱を帯びることから、機器を正常に動作させるために冷却する必要がある。
【００５８】
これらの機器を冷却する冷却用空気は、空気調和装置８内で生成される。空気調和装置８から送出された冷却用空気は、まず、内部空間２を流動して、通路３の二重床４に開口された床開口部５から孔あきパネル６を介して該通路３の床上に流動する。二重床４の床開口部５は後述する遮蔽体１１及び機器収容用ラック７により覆われているので、冷却用空気は通路３内の空間に充満される。
【００５９】
そして、冷却用空気は、機器収容用ラック７の前面７Ａから該機器収容用ラック７内に取り入れられて、内部に収容された機器との間で熱交換することによりこれら機器を冷却した後、熱を帯びた空気（以下「温熱空気」とする）となって、機器収容用ラック７の上面７Ｂから上方の空間へ向けて吹き出される。このように吹き出された温熱空気は、通路３の外部空間である電算機室１の上方空間を流動して、空気調和装置８に再び吸引される。空気調和装置８に吸引された温熱空気は、該空気調和装置８内で冷却されて、再び冷却用空気として利用される。
【００６０】
本実施形態においては、機器収容用ラック７同士は、二重床４から上面７Ｂまでの高さ寸法が互いに異なっている。これら機器収容用ラック７の上面７Ｂにおける前面７Ａ側の端部には、後述する遮蔽体１１を支持する支持部材９が通路３の延在方向に延びてそれぞれ配設されている。支持部材９は、例えば断面コ字状や断面Ｃ字状の板材等で形成されている。そして、支持部材９の高さ寸法は、各機器収容用ラック７に対応してそれぞれ設定されているとともに、これら支持部材９の上面同士が同一の仮想水平面内に配置されている。すなわち、これら機器収容用ラック７において、二重床４から支持部材９の上面までのそれぞれの高さ寸法は、互いに同一となるように設定されている。
【００６１】
また、図２に示すように、機器収容用ラック７の上面７Ｂには、各コーナーにボルト装着穴７Ｃが穿設されている。支持部材９には、上面７Ｂの前面７Ａ側に位置する一対のボルト装着穴７Ｃに対応して一対の取付孔９Ａが形成されている。そして、これら取付孔９Ａにボルト等が挿通されるとともにボルト装着穴７Ｃに螺着されることにより、支持部材９が機器収容用ラック７の上面７Ｂに固定されている。
【００６２】
また、支持部材９の頂部には、断面コ字状又は断面Ｃ字状の水平部材９Ｂが配設されている。支持部材９は、高さ調整部材９Ｅを交換することで上面７Ｂから上方へ向けて突出する高さ寸法を調整可能とされている。詳しくは、支持部材９は、高さ調整部材９Ｅの頂部に、該頂部に対して通路３の延在方向に沿って摺動可能な水平部材９Ｂを備えている。尚、水平部材９Ｂを前記頂部に対して上下方向に位置調整することにより、前記高さ寸法を調整可能に構成してもよい。
【００６３】
また、支持部材９には、水平部材９Ｂの頂面における略中央に、上下方向に貫通する軸部取付孔９Ｃが形成されている。軸部取付孔９Ｃには、略リング状をなすワッシャー９Ｄが装着されている。
【００６４】
また、電算機室用空調システム１０には、通路３の延在方向に直交する断面が略Ｌ字状をなす遮蔽体１１が、それぞれの機器収容用ラック７に対応するように該通路３の延在方向に沿って複数配設されている。これら遮蔽体１１は、機器収容用ラック７の上面７Ｂから通路３側へ向けて延びる板状の天壁部１２と、機器収容用ラック７の前面７Ａとの間に床開口部５を配置して前面７Ａから離間され、天壁部１２から二重床４へ向けて延びる板状の側壁部１３とをそれぞれ有している。尚、これら天壁部１２と側壁部１３とは、不図示の固定部材によって互いに固定されている。
【００６５】
そして、この遮蔽体１１によって、機器収容用ラック７の前面７Ａ側に外部空間から区画された通路３内空間が画成されており、この通路３内空間に、二重床４の床開口部５が開口している。詳しくは、遮蔽体１１は、例えばアルミニウムからなる軽量のフレームに、面材としてアルミニウム板又はポリカーボネート板を着脱可能に装着して構成されている。
【００６６】
遮蔽体１１の天壁部１２は、略矩形板状をなしており、その下面における機器収容用ラック７側の端部には、上下に延びる丸棒状の軸部１２Ａが垂設されている。軸部１２Ａは、機器収容用ラック７の上面７Ｂ上に配置されるとともに、支持部材９のワッシャー９Ｄに摺動可能に挿入されている。これにより、天壁部１２は、機器収容用ラック７に対して軸部１２Ａを中心に回動可能とされている。そして、図３に２点鎖線で示すように、天壁部１２の前述の回動によって、各遮蔽体１１がそれぞれの軸部１２Ａ回りに回動可能とされている。
【００６７】
また、天壁部１２の軸部１２Ａは支持部材９に対して着脱可能に連結されており、天壁部１２を上方へ向けて押し上げることで、軸部１２Ａが支持部材９に装着されたワッシャー９Ｄから容易に取り外せるようになっている。このように、天壁部１２を機器収容用ラック７の上面７Ｂから取り外した状態で、天壁部１２は上面７Ｂに対して通路３の幅方向に沿って移動可能とされている。
【００６８】
また、図４に示すように、天壁部１２の下面における通路３の幅方向に沿う略中央には、ストッパー１２Ｂが設けられている。そして、前述のように天壁部１２を機器収容用ラック７の前面７Ａ側から背面７Ｄ側へ向けて移動させる際には、このストッパー１２Ｂと支持部材９の通路３側を向く前面９Ｆとが当接して、天壁部１２の移動が規制されるようになっている。
【００６９】
また、遮蔽体１１の側壁部１３は、略矩形板状をなしており、その上端部が、天壁部１２の機器収容用ラック７側とは反対側を向く端部に連結されている。図４において、側壁部１３は、天壁部１２との間に交差角θを形成して該天壁部１２に固定支持されている。交差角θは、二重床４に開口する床開口部５の前記幅方向に沿う寸法（幅寸法）に対応して予め設定されており、本実施形態では、この交差角θが９０°とされている。
【００７０】
詳しくは、交差角θは、天壁部１２に対して側壁部１３を回動させることで調整可能とされており、所定の角度に調整後は固定される。そして、交差角θを調整することによって、通路３内空間の大きさが調整可能とされていて、側壁部１３の下端部を床開口部５の前記幅方向の外側に配置できるようになっている。これにより、遮蔽体１１が、床開口部５を充分に覆って設置される。
【００７１】
側壁部１３の通路３側を向く内面１３Ａと機器収容用ラック７の前面７Ａとの間の距離Ｌは、前述のように交差角θを調整することにより種々に設定可能とされている。従って、例えば、二重床４の床開口部５の幅寸法が大きい場合には、側壁部１３をその上端部回りに回動させるとともに交差角θを９０°以上の鈍角に設定することで、側壁部１３の内面１３Ａは、上端部から下端部へ向かうに従い漸次機器収容用ラック７の前面７Ａから離間するように傾斜して延びるとともに、その下端部が床開口部５よりも前記幅方向の外側に配置される。
【００７２】
また、図１に示すように、側壁部１３の二重床４側の端部（下端部）には、例えば自在キャスター等からなるキャスター部材１５が一対配設されている。これらキャスター部材１５は、側壁部１３の下端部において、通路３の延在方向に沿って互いに離間して配設されている。また、側壁部１３の下端部におけるキャスター部材１５同士の隙間には、スポンジゴム１６が配設されている。
【００７３】
また、図５に示すように、キャスター部材１５は、側壁部１３の下端部に例えばネジ止めにより装着されており、ネジ調整によって前記下端部から二重床４側へ向けて突出する突出量を調整可能とされている。
このように構成された側壁部１３は、天壁部１２が前述のように機器収容用ラック７の上面７Ｂから取り外された際には、機器収容用ラック７の前面７Ａに対して接近離間可能とされている。
【００７４】
また、通路３の延在方向に沿って隣り合う遮蔽体１１同士の間には、通路３内の空間と外部空間とを区画するスポンジゴム（シール部）１７がそれぞれ設けられている。これらスポンジゴム１７は、遮蔽体１１において通路３の延在方向を向く端面に対応して略Ｌ字状にそれぞれ形成されている。
【００７５】
すなわち、通路３は、その幅方向の一方側が機器収容用ラック７の前面７Ａ及びその上方の支持部材９の前面９Ｆにより区画され、前記幅方向の他方側が遮蔽体１１の側壁部１３により区画されている。また、通路３は、その上方が遮蔽体１１の天壁部１２により区画されている。このようにして、通路３内の空間が画成されているとともに外部空間とは区画されていて、さらにスポンジゴム１６、１７によって気密性が確保されている。
【００７６】
さらに、図１に示すように、通路３の延在方向に沿う端部には、該端部に設置された機器収容用ラック７の前面７Ａ、該機器収容用ラック７に装着された遮蔽体１１、及び二重床４により囲まれた該通路３内空間の断面形状に対応して形成されたエンドキャップ（端部遮蔽体）１８が配設されている。エンドキャップ１８は、前記機器収容用ラック７において通路３の延在方向の外側を向く側面７Ｅ、及び、前記遮蔽体１１において前記延在方向の外側を向く端面に配設された断面コ字状又は断面Ｃ字状をなす枠部材１８Ａと、この枠部材１８Ａに対して着脱可能とされ、柔軟性を有するシート状のキャップ部材１８Ｂとを有している。
【００７７】
詳しくは、エンドキャップ１８の枠部材１８Ａとキャップ部材１８Ｂとは、ファスナー構造等により気密に連結されている。そして、通路３内に作業者がアクセスする際には、キャップ部材１８Ｂを枠部材１８Ａから取り外すか又はその一部を開けて、該通路３内へ入るようにしている。
【００７８】
また、前述したエンドキャップ１８の代わりに、前記通路３内空間の断面形状に対応して該通路３を開閉可能な扉状のエンドキャップ（端部遮蔽体）１９が配設されていてもよい。詳しくは、エンドキャップ１９は、機器収容用ラック７の上面７Ｂ及び遮蔽体１１の天壁部１２に対応して配置されるとともに通路３の幅方向に沿って延びるレール部材１９Ａと、前記通路３の断面形状に対応する略矩形板状をなし、レール部材１９Ａに沿って前記幅方向に移動することにより通路３を開閉自在とされた扉部材１９Ｂとを有している。そして、通路３内に作業者がアクセスする際には、扉部材１９Ｂを開けて、該通路３内へ入るようにしている。
【００７９】
また、通路３の延在方向に沿う端部に配置された機器収容用ラック７の側面７Ｅとエンドキャップ１９の扉部材１９Ｂとの間には、受けゴム２０が上下方向に延びて配設されていて、前記側面７Ｅと扉部材１９Ｂとの隙間をシールしている。
また、特に図示しないが、このように構成されたエンドキャップは、通路３の延在方向に沿う前記端部とは反対側の他の端部にも配設されていてもよい。
【００８０】
また、空気調和装置８は、略直方体形の箱状に形成されている。空気調和装置８は、通路３に沿って配列された機器収容用ラック７の側方に離間して配置されており、詳しくは、通路３の延在方向に沿うエンドキャップの外側に離間して配置されている。空気調和装置８は、電算機室１の上方空間を流動する空気をその上面８Ａの吸引口から吸引して冷却した後、二重床４の内部空間２に連通する下面８Ｂの吹出口から冷却用空気として吹き出すように構成されている。
【００８１】
以上説明したように、本実施形態に係る電算機室用空調システム１０によれば、遮蔽体１１における天壁部１２が通路３内の空間と機器収容用ラック７の上方空間とを区画し、側壁部１３が通路３内の空間と該通路３の機器収容用ラック７の前面７Ａ側とは反対側（すなわち側壁部１３の外側）に位置する側方空間とを区画する。このような構成により、通路３内の空間がその外部空間とは確実に区画されているとともに気密性が確保されている。従って、遮蔽体１１に覆われた通路３内に空気調和装置８から送出された冷却用空気が確実に充満されるとともに、機器収容用ラック７の前面７Ａから吸い込まれて、機器収容用ラック７内に収容された機器の冷却効率が高められている。
【００８２】
詳しくは、空気調和装置８から通路３内に送出された冷却用空気が、機器収容用ラック７の機器を冷却せずに空気調和装置８に還流されるようなことがない。また、機器収容用ラック７から吹き出された温熱空気が、通路３内に直接還流されて機器収容用ラック７の前面７Ａから吸い込まれるようなことが防止されるとともに空気調和装置８に確実に送られる。従って、必要最小限の風量で空気調和装置８を運転させることができるため、該空気調和装置８の効率が向上する。
【００８３】
そして、この遮蔽体１１は、天壁部１２の前記背面７Ｄ側の端部を機器収容用ラック７の上面７Ｂ上に配置し、側壁部１３の下端部におけるキャスター部材１５を通路３の床上に配置しているのみの簡便な設置とされている。よって、この遮蔽体１１を設置するにあたって、従来のように、当該機器収容用ラック７と他の機器収容用ラックや周辺機器との相対的な位置関係などの、電算機室１のレイアウトの影響を受けにくい。
【００８４】
すなわち、この遮蔽体１１は、本実施形態のように、通路３の幅方向の一方側にのみ機器収容用ラック７が配列されている場合において設置できる他、例えば、機器収容用ラック７の通路３を挟んだ反対側に電算機室１の壁面が配置されるような場合にも設置可能である。また、機器収容用ラック７同士が通路３を挟んで対向配置された際に、通路３を挟んで機器収容用ラック７の前面７Ａと背面７Ｄとが対向するような場合も、本実施形態の遮蔽体１１を設置して通路３内の空間を容易に画成できる。また、機器収容用ラック７同士が通路３を挟んで対向配置された際に、通路３の幅方向の一方側（他方側）に配列された機器収容用ラック７における該通路３の延在方向に沿う長さが、前記幅方向の他方側（一方側）に配列された機器収容用ラック７の前記長さよりも長く設定された場合においても、機器収容用ラック７の前記長さの長い部分に対応して本実施形態の遮蔽体１１を容易に設置できる。また、複数の機器収容用ラック７が通路３に沿って配列された、所謂「架列」を構成する設置以外の場合であっても、本実施形態を適用可能である。すなわち、高発熱の機器収容用ラック７が単独に、又は、ランダムに設置されているような場合であっても、前述した遮蔽体１１を容易に設置することができる。
【００８５】
さらに、このような遮蔽体１１の構成によれば、該遮蔽体１１が覆う通路３内空間の容量を自由に設定できるので、例えば、空調設計上必要とされる冷却風量に応じて通路３内空間の容量を変更することができる。
【００８６】
また、遮蔽体１１の側壁部１３と天壁部１２との間に形成された交差角θが、側壁部１３を回動させて角度調整可能とされている。このように、側壁部１３を回動させることで、該側壁部１３の下端部が、機器収容用ラック７の前面７Ａに対して接近離間可能とされている。よって、通路３の床に開口された床開口部５の大きさ（幅寸法）に合わせて、側壁部１３を回動させることができる。
【００８７】
すなわち、通路３の床開口部５の幅寸法が大きい場合には、側壁部１３をその上端部回りに、機器収容用ラック７の前面７Ａから離間させる向きに回動させることにより、遮蔽体１１が該床開口部５を充分に覆うことになるので、通路３内に充分な容量の冷却用空気を取り入れることができる。また一方、通路３の床開口部５の幅寸法が小さい場合には、側壁部１３を機器収容用ラック７の前面７Ａに接近させる向きに回動させることにより、遮蔽体１１で覆われた通路３内空間の容量を小さくできるので、冷却効率がより高められる。
【００８８】
また、側壁部１３の下端部にキャスター部材１５が配設されているので、遮蔽体１１を機器収容用ラック７に装着する設置時等の移動が容易である。また、機器収容用ラック７は、前述のように比較的高さが高く、かつ、内部に重量のある通信装置等が収容されているので、地震等が生じた場合には、その上面７Ｂが床面に対して大きく変位することがあるが、この構成によれば、遮蔽体１１を通路３の二重床４に対して固定することなく設置できるので、地震等により機器収容用ラック７が振動又は揺動した際に、遮蔽体１１が床上で該機器収容用ラック７の前記変位に対応するように移動して、機器収容用ラック７や遮蔽体１１の破損が防止される。
【００８９】
また、キャスター部材１５が、側壁部１３の下端部から二重床４側へ向けて突出する突出量を調整可能とされているので、該キャスター部材１５は確実に通路３の床面に当接されるとともに、遮蔽体１１の設置状態が安定する。また、側壁部１３を前述のように回動させて角度調整した際には、該側壁部１３の下端部から床面までの距離が変動することになるが、キャスター部材１５の突出量を調整して容易に対応可能である。
【００９０】
また、遮蔽体１１の天壁部１２が機器収容用ラック７の上面７Ｂに対して着脱可能に連結されており、該天壁部１２が上面７Ｂから取り外されることにより、この遮蔽体１１の側壁部１３が機器収容用ラック７に対して接近離間可能とされているので、該遮蔽体１１が覆う通路３の幅を容易に変えられる。
【００９１】
従って、例えば、遮蔽体１１が設けられた一の機器収容用ラック７の通路３を挟んだ反対側に他の設備機器が設置されているような場合に、他の設備機器のメンテナンス時には、必要に応じて側壁部１３を一の機器収容用ラック７の前面７Ａに接近させるとともに遮蔽体１１を該一の機器収容用ラック７側に向けて移動させ、通路３に容易に作業スペースを確保できる。そして、メンテナンスが終了したら、側壁部１３を一の機器収容用ラック７の前面７Ａから離間させるとともに天壁部１２を該機器収容用ラック７の上面７Ｂに再び連結して、遮蔽体１１を元の状態に戻せばよい。
【００９２】
また、遮蔽体１１の天壁部１２が、機器収容用ラック７の上面７Ｂに配置された軸部１２Ａを中心に回動可能とされているので、地震等により機器収容用ラック７が振動又は揺動した際に、該機器収容用ラック７に対して天壁部１２が軸部１２Ａ回りに回動される。このような構成によれば、地震等の際に遮蔽体１１が機器収容用ラック７と一体的に大きく振動又は揺動するようなことが抑制されて、機器収容用ラック７及び遮蔽体１１の破損が防止される。
【００９３】
また、この電算機室用空調システム１０には、通路３に沿って複数の遮蔽体１１が設けられており、隣り合う遮蔽体１１同士の間には、通路３内空間と外部空間とを区画するスポンジゴム１７がそれぞれ配設されているので、冷却用空気が遮蔽体１１同士の間から外部空間に漏れ出ることが防止されて、通路３内空間に効率よく充満される。従って、機器収容用ラック７内の機器の冷却効率が充分に確保されている。
【００９４】
さらに、側壁部１３の下端部におけるキャスター部材１５同士の隙間にスポンジゴム１６が配設され、通路３の延在方向に沿う端部に配置された機器収容用ラック７の側面７Ｅとエンドキャップ１９の扉部材１９Ｂとの間に受けゴム２０が配設されているので、通路３内空間の気密性が充分に確保されている。
【００９５】
また、通路３の延在方向の端部には、該通路３の前記断面形状に対応するようにエンドキャップ１８が配設されているので、通路３内空間と外部空間とが確実に区画される。従って、通路３内空間に充満した冷却用空気が外部空間に漏れ出たり、機器収容用ラック７内の機器を冷却した後の温熱空気が通路３内に直接還流されてしまったりするようなことがより確実に防止される。
【００９６】
また、エンドキャップ１８が、柔軟性を有するシート状のキャップ部材１８Ｂを有しているので、地震等により機器収容用ラック７及び遮蔽体１１が振動又は揺動した際に容易に変形でき、破損が防止される。また、作業者が通路３内に入る場合には、エンドキャップ１８を着脱して容易に出入りできる。
【００９７】
また、通路３を開閉可能なエンドキャップ１９が配設された場合には、通路３内空間の密閉性を確保できるとともに、扉部材１９Ｂをレール部材１９Ａに沿って開閉させるのみの簡便な操作によって、作業者が通路３内に容易にアクセス可能である。
【００９８】
次に、図６及び図７を用いて、本実施形態で説明した遮蔽体１１及び支持部材９の変形例を説明する。
図６に示す変形例では、支持部材９が機器収容用ラック７の上面７Ｂに装着されている。そして、前述した軸部１２Ａの代わりとして、遮蔽体１１の天壁部１２における前記背面７Ｄ側を向く端面と支持部材９の水平部材９Ｂにおける前記背面７Ｄ側を向く端面とを連結する弾性ヒンジ部材２１が一対配設されている。
【００９９】
これら弾性ヒンジ部材２１は、エラストマー等の弾性変形可能な材料からなり、通路３の延在方向に沿って互いに離間して配置され、天壁部１２及び支持部材９に対してネジ止め等により固定されている。このように、天壁部１２は、これら弾性ヒンジ部材２１を介して機器収容用ラック７の上面７Ｂに連結されている。
【０１００】
このような構成によれば、遮蔽体１１は、弾性ヒンジ部材２１を中心に通路３を開閉するように回動可能とされている。そして、地震等の際には、機器収容用ラック７と遮蔽体１１とを繋ぐ弾性ヒンジ部材２１が弾性変形して振動又は揺動を吸収するように作用し、機器収容用ラック７及び遮蔽体１１が一体的に大きく振動又は揺動することが大幅に抑制されるとともに、機器収容用ラック７及び遮蔽体１１の破損が防止される。
【０１０１】
さらに、この場合、地震等がおさまれば、弾性ヒンジ部材２１の弾性復元力によって遮蔽体１１の機器収容用ラック７に対する姿勢（位置）が元の状態に戻るので、地震等の後の復旧作業が容易である。尚、遮蔽体１１を機器収容用ラック７から取り外す際には、弾性ヒンジ部材２１を固定するネジ等を取り外せばよい。
【０１０２】
また、図７に示す変形例では、図６の変形例で説明した支持部材９の頂部に、断面コ字状又は断面Ｃ字状のアダプタ部材２２を着脱可能に装着している。そして、支持部材９の前記背面７Ｄ側の端面に弾性ヒンジ部材２１を固定する代わりに、このアダプタ部材２２の前記背面７Ｄ側の端面に固定している。この場合、機器収容用ラック７の上面７Ｂに対して、遮蔽体１１の天壁部１２を容易に着脱させることができ、天壁部１２の上面７Ｂに対する前記幅方向への移動も簡便に行える。
【０１０３】
（第２実施形態）
次に、本発明の第２の実施形態に係る電算機室用空調システム３０について、図８〜図１１を参照して説明する。尚、前述の実施形態と同一部材には同一の符号を付し、その説明を省略する。
【０１０４】
図８に示すように、本実施形態の電算機室用空調システム３０は、遮蔽体１１の天壁部１２と側壁部１３とが、前述の固定部材を用いる代わりに、ヒンジ部材３１によって互いに連結されている。このように、天壁部１２と側壁部１３とがヒンジ部材３１に連結されていることにより、この遮蔽体１１は現場設置後においても自由に交差角θを調整可能に構成されている。
【０１０５】
図９に示すように、ヒンジ部材３１は、例えば同軸に配列された複数の筒体３２と、これら筒体３２内に挿入される棒状のピン部材３３と、該ピン部材３３の端部に螺着されるネジ部材３４とを有し構成されている。
【０１０６】
詳しくは、これら筒体３２のうち、互いに離間された筒体３２Ａ、３２Ａが、天壁部１２の機器収容用ラック７側とは反対側を向く端部に同軸に配設されている。また、筒体３２のうち、互いに離間された筒体３２Ｂ、３２Ｂが、側壁部１３の上端部に同軸に配設されている。そして、天壁部１２の前記端部と側壁部１３の上端部とを接近させてこれら筒体３２同士を全て同軸に配置した状態で、ピン部材３３を筒体３２内に挿通するとともにネジ部材３４を該ピン部材３３に締め込むことで、天壁部１２と側壁部１３との前述の回動が規制されるように構成されている。
【０１０７】
また、図１０に示すように、ヒンジ部材３１が、断面星形状の内周面を有する筒体３２と、該筒体３２の内周面に対応する断面星形状の外周面を有するピン部材３３とを有し、前述したネジの締め込み作用等を用いない構成のものであってもよい。この場合、天壁部１２と側壁部１３との相対的な回動がヒンジ部材３１の筒体３２とピン部材３３との係合により規制されていることから、交差角θの調整が簡便に精度よく行える。
【０１０８】
図１１に示すように、ヒンジ部材３１を中心に側壁部１３を回動させて遮蔽体１１の交差角θを増大させる場合には、該側壁部１３が前面７Ａから離間されるのに伴って、図８の枠部材１８Ａにおいて側壁部１３に対応する部位も前面７Ａから離間させられる。すなわち、側壁部１３を機器収容用ラック７の前面７Ａから離間させる向きに回動させたときには、該側壁部１３とエンドキャップ１８のキャップ部材１８Ｂとの間に拡張領域（隙間）が生じることになる。このように、エンドキャップ１８の枠部材１８Ａの開口する領域が拡張される場合には、該枠部材１８Ａの拡張領域に対応して、柔軟性を有するシート状からなり略三角形状の拡張部材１８Ｃを設けることが好ましい。拡張部材１８Ｃは、枠部材１８Ａ及びキャップ部材１８Ｂに対してファスナー構造等により気密に連結される。尚、エンドキャップ１８の代わりに扉状のエンドキャップ１９を用いる場合にも、この拡張部材１８Ｃを設けることができ、これにより通路３内空間を気密に遮蔽することが可能である。
【０１０９】
以上説明したように、本実施形態に係る電算機室用空調システム３０によれば、側壁部１３と天壁部１２とがヒンジ部材３１により互いに連結されていて、前述した交差角θの角度調整が容易に行える。すなわち、遮蔽体１１を設置した後や、機器収容用ラック７の入れ替え時などであっても、現場において自由に前述の角度調整が行えるという利点を有している。これにより、本実施形態のように、遮蔽体１１が通路３の延在方向に沿って複数配設される場合であっても、隣り合う遮蔽体１１の側壁部１３同士の連結が非常に容易となり、通路３内空間の気密性が充分に確保される。
【０１１０】
また、側壁部１３が天壁部１２に対して機器収容用ラック７の前面７Ａから離間する向きに回動させられた場合であっても、該側壁部１３とエンドキャップ１８との間に生じる拡張領域に対応して、拡張部材１８Ｃが着脱可能に装着されているので、通路３内空間が確実に気密に遮蔽される。従って、前述した冷却効率が充分に確保される。
【０１１１】
（第３実施形態）
次に、本発明の第３の実施形態に係る電算機室用空調システム４０について、図１２〜図１９を参照して説明する。尚、前述の実施形態と同一部材には同一の符号を付し、その説明を省略する。
【０１１２】
本実施形態の電算機室用空調システム４０は、遮蔽体１１の天壁部１２と側壁部１３とが、塑性変形可能な可撓部４１を介して互いに連結されている点において、前述の実施形態とは異なっている。
図１２に示すように、この電算機室用空調システム４０においては、遮蔽体１１が、例えばアルミニウムからなる軽量のフレーム４２に、面材として所定の伸縮性及び柔軟性を有するシート４３を装着し構成されている。
【０１１３】
フレーム４２は、パイプ状又は棒状をなし、機器収容用ラック７の上面７Ｂにおける通路３側の端部から該通路３側へ向かって水平方向に延びた後、漸次二重床４側へ緩やかに向きを変えるように略円弧状に湾曲して、さらに鉛直方向の下側へ向けて延びている。そして、少なくともその円弧状に湾曲された部位が前記可撓部４１とされていて、該可撓部４１が外力によって塑性変形可能とされている。また、フレーム４２は、各遮蔽体１１における通路３の延在方向に沿う両端にそれぞれ配設されている。
【０１１４】
シート４３は、遮蔽体１１のフレーム４２同士の間に張設されている。シート４３において、通路３の延在方向に沿う少なくともいずれかの端部（図１２の例では右側の端部）には、フレーム４２に沿って延びるとともに該フレーム４２よりも前記延在方向の外側へ突出する帯状のシール部４４が形成されている。
【０１１５】
図１３に示すように、通路３の延在方向に沿って複数の遮蔽体１１同士が配列される際には、一の遮蔽体１１のシール部４４は、隣接する他の遮蔽体１１のシート部４３の裏面（又は表面）に重ね合わされるようにして配置される。
【０１１６】
また、図１４に示すように、シール部４４の表面（又は裏面）には、マジックテープ（登録商標）（面ファスナー）、両面テープ、スポンジゴム等からなる接続部材４４Ａが形成されていて、該シール部４４の重なり合うシート部４３に対する気密性が充分に確保されるように構成されている。尚、複数の遮蔽体１１のうち、通路３の延在方向に沿う端部に配置された遮蔽体１１には、シール部４４の代わりに、エンドキャップ１８の枠部材１８Ａが配設されている。
【０１１７】
また、図１５に示すように、遮蔽体１１のフレーム４２同士の間には、通路３の延在方向に沿って延びる中間部材４５が配設されている。図１２において、中間部材４５は、側壁部１３の上端部近傍に着脱可能に装着されている。また、中間部材４５の両端には、断面Ｃ字状をなす係合部４５Ａがそれぞれ設けられている。中間部材４５の係合部４５Ａは、その内周面がフレーム４２の外周面に対応して形成されているとともに、該フレーム４２に対して嵌合可能とされている。
【０１１８】
この中間部材４５を遮蔽体１１に装着する際には、まず、遮蔽体１１のフレーム４２同士の間にシート部４３を張った状態で、これらフレーム４２同士を互いに離間させるように押し広げつつ、前述のように中間部材４５をフレーム４２に嵌合させればよい。
【０１１９】
このように、電算機室用空調システム４０は、前述のフレーム４２及びシート４３が、遮蔽体１１の天壁部１２及び側壁部１３を一体に形成しているとともに、天壁部１２と側壁部１３とを繋ぐ断面略円弧状をなす部位が、前記可撓部４１とされている。図１６に示すように、可撓部４１は、天壁部１２と側壁部１３との間に交差角θを形成して湾曲されており、該可撓部４１を塑性変形させることにより、側壁部１３は天壁部１２に対して回動されて、交差角θが調整可能とされている。
【０１２０】
また、図１７に示すように、本実施形態においては、支持部材９の水平部材９Ｂの頂面に、軸部取付孔９Ｃが前記延在方向に離間して一対形成されている。そして、本実施形態の遮蔽体１１は、前述の実施形態で説明した軸部１２Ａを用いる代わりに、軸部４６を一対用いて、機器収容用ラック７の上面７Ｂに着脱可能に装着されている。
【０１２１】
詳しくは、本実施形態における遮蔽体１１は、前述のようにフレーム４２及びシート４３から構成されることによって、複数の軸部４６に連結されていながらも地震時には撓んで変形可能とされている。これにより、損傷が防止される。尚、フレーム４２の剛性を確保するとともに、軸部４６を単独で用いることも可能である。
【０１２２】
軸部４６は、円板状をなす本体の外周面から径方向外側へ向かって延びる棒状の腕部４６Ａと、前記本体に同軸とされて下方へ向けて延びる棒状の脚部４６Ｂとを有している。そして、腕部４６Ａが、天壁部１２におけるフレーム４２の機器収容用ラック７側の端部に嵌合やネジ止め等により固定され、脚部４６Ｂが、ワッシャー９Ｄに摺動可能に挿入されている。
【０１２３】
このように、天壁部１２の軸部４６は支持部材９に対して着脱可能に連結されており、天壁部１２を上方へ向けて押し上げることで、軸部４６の脚部４６Ｂが支持部材９に装着されたワッシャー９Ｄから容易に取り外せるようになっている。そして、天壁部１２を機器収容用ラック７の上面７Ｂから取り外した状態で、天壁部１２は上面７Ｂに対して通路３の幅方向に沿って移動可能とされている。
【０１２４】
また、図１８に示すように、本実施形態のキャスター部材１５は、略扇形状の本体にフレーム４２が嵌合又はネジ止め等により固定され、該本体に車輪が回転自在に軸支された構成とされている。尚、側壁部１３の下端面からキャスター部材１５が突出する突出量は、図示するように、キャスター部材１５の上端面に形成されて鉛直方向に延びる縦穴１５Ａにフレーム４２を挿入する程度に応じて調整可能とされている。また、このキャスター部材１５には、その側面から水平方向に延びる複数の横穴１５Ｂが、互いに鉛直方向に離間して、又は、互いの一部を重ね合い連なるようにして形成されている。そして、前述のフレーム４２の挿入の程度に応じて、水平方向に延びる他のフレーム４２Ａの端部を横穴１５Ｂに挿入するように構成されている。また、図１９に示すように、キャスター部材１５がネジ調整により前記突出量を調整可能とされていてもよい。
【０１２５】
以上説明したように、本実施形態に係る電算機室用空調システム４０によれば、側壁部１３と天壁部１２とが塑性変形可能な可撓部４１を介して連結されているので、この可撓部４１に外力を加えて塑性変形させることで、前述した角度調整を容易に行うことが可能である。またこの場合、前述の角度調整後において、ネジ止め等の固定を特に必要としないことから、作業性に優れている。
【０１２６】
さらに、本実施形態のように遮蔽体１１をフレーム４２及びシート４３を用いて構成することで、該遮蔽体１１全体を軽量化でき、設置が容易である。
また、通路３の延在方向に沿って隣接する遮蔽体１１同士の間に、シール部４４がそれぞれ配置されていることにより、通路３内空間の気密性が充分に確保される。
【０１２７】
（第４実施形態）
次に、本発明の第４の実施形態に係る電算機室用空調システム５０について、図２０〜図２２を参照して説明する。尚、前述の実施形態と同一部材には同一の符号を付し、その説明を省略する。
【０１２８】
図２０〜図２２に示すように、本実施形態の電算機室用空調システム５０は、通路３の幅方向の一方側（図２２における右側）及び他方側（図２２における左側）に、機器収容用ラック７が該通路３の延在方向に沿ってそれぞれ配列されている。また、前記一方側の機器収容用ラック７は、その前面７Ａを通路３側へ向けて配置されており、前記他方側の機器収容用ラック７は背面７Ｄを該通路３側へ向けて配置されている。そして、これら機器収容用ラック７は、図２２に示すように、前面７Ａから給気して背面７Ｄから電算機室１の上方空間へ向けて温熱空気を吹き出すように構成されている。
【０１２９】
遮蔽体１１は、通路３の床上に形成された床開口部５を覆うようにして、前記一方側の機器収容用ラック７に設置されて、通路３内空間を画成している。そして、この電算機室用空調システム５０は、遮蔽体１１の天壁部１２が、機器収容用ラック７の上面７Ｂにおける背面７Ｄ側に配置された固定部５１で該上面７Ｂに連結され、この固定部５１よりも前面７Ａ側に配置された支持部５２上に載置されているとともに該支持部５２からは離間可能とされている点で、前述の実施形態とは異なっている。
【０１３０】
詳しくは、機器収容用ラック７の上面７Ｂには、通路３の延在方向に沿って延びるとともに、該通路３の幅方向に互いに離間して配置された棒状の固定部５１及び支持部５２が配設されている。固定部５１は、上面７Ｂにおける背面７Ｄ側の端部に配置されており、支持部５２は、上面７Ｂにおける前面７Ａ側の端部に配置されている。また、天壁部１２は、上面７Ｂを覆うように形成されており、該天壁部１２の下面における背面７Ｄ側の端部が、固定部５１に連結されている。また、天壁部１２の下面における通路３の幅方向に沿う中央部が、支持部５２に載置されている。
【０１３１】
このような構成によって、遮蔽体１１の天壁部１２は、機器収容用ラック７の上面７Ｂにおける固定部５１を中心に開閉するように回動可能とされている。そして、地震等により機器収容用ラック７が振動又は揺動した際には、図２２に２点鎖線で示すように、遮蔽体１１の天壁部１２が回動して支持部５２から離間することから、遮蔽体１１及び機器収容用ラック７の破損が防止される。すなわち、例えば、天壁部１２が機器収容用ラック７の上面７Ｂに回動不可に固定された場合には、地震等により遮蔽体１１が該機器収容用ラック７と一体的に大きく振動又は揺動して破損する虞があるが、本実施形態によればこのようなことが防止される。
【０１３２】
また、この電算機室用空調システム５０は、遮蔽体１１の側壁部１３が、柔軟性を有しているとともに、通路３内空間を開閉可能に天壁部１２に支持されたシート部材５３からなる点で、前述した実施形態とは異なっている。すなわち、本実施形態の側壁部１３は、天壁部１２に支持されているとともに、該天壁部１２へ向けて巻き回されることにより収容可能な柔軟性を有するシート部材５３からなる。
【０１３３】
詳しくは、天壁部１２における前記固定部５１側とは反対側の端部には、通路３の延在方向に沿って延びる筒状のロールボックス５４が配設されている。そして、側壁部１３は、このロールボックス５４の下面に形成されたスリット孔（不図示）に挿通されて、該ロールボックス５４内の巻き取り軸（不図示）に巻き回されているとともに、下方へ向けて引き出し可能かつ上方へ向けて収容可能な前記シート部材５３を備えている。
【０１３４】
また、シート部材５３の下端部には、棒状をなし前記延在方向に沿って延びるとともに、前記スリット孔の幅よりも大きな外径を有する操作軸５５が配設されている。シート部材５３をロールボックス５４から引き出した状態で、操作軸５５は、二重床４の床面に当接可能とされている。またこの状態で、操作軸５５は、二重床４に対して着脱可能に連結されていてもよい。
【０１３５】
このように、側壁部１３が、柔軟性を有しているとともに、通路３内空間を開閉可能に天壁部１２に支持されたロール状のシート部材５３からなるので、この側壁部１３は、天壁部１２へ向けて巻き回されることによりコンパクトに収容可能であるとともに、外部空間から区画された通路３内空間を確実に画成できる。そして、側壁部１３が収容された際には、通路３に作業スペースを充分に確保できる。
【０１３６】
すなわち、本実施形態のように、通路３を挟んで機器収容用ラック７が対向配置されている場合に、前記他方側の機器収容用ラック７をメンテナンスする際には必要に応じて側壁部１３を収容して通路３に充分な作業スペースを確保できる。そして、メンテナンスが終了したら、側壁部１３の下端部の操作軸５５を通路３の床に向けて延ばすとともに遮蔽体１１を元の状態に戻すことで、通路３内空間とその外部空間とが再び区画される。
【０１３７】
また、側壁部１３のシート部材５３は柔軟性を有しているので、地震等により機器収容用ラック７及び遮蔽体１１が振動又は揺動した際に容易に変形でき、破損が防止される。
尚、側壁部１３として、ロール状のシート部材５３の代わりに、例えば、天壁部１２に支持されたカーテン状（すなわち折り返し構造）のシート部材を用いてもよい。この場合、前記シート部材を通路３に沿って折り畳むように重ね合わせてコンパクトに収容できるとともに、通路３内空間を容易に開閉できる。
【０１３８】
また、図２０に示す例では、電算機室用空調システム５０は、通路３内空間における前記延在方向に沿う両端部に、レール部材１９Ａと扉部材１９Ｂとを有するエンドキャップ（端部遮蔽体）５８をそれぞれ備えている。
【０１３９】
また、図２１に示す例では、電算機室用空調システム５０は、エンドキャップ５８として、図２０におけるレール部材１９Ａの代わりに、通路３の幅方向に沿って延びる筒状のロール部材５８Ａと、このロール部材５８Ａの下面に形成されたスリット孔に挿通されて該ロール部材５８Ａ内の巻き取り軸に巻き回され支持されているとともに、下方へ向けて引き出し可能かつ上方へ向けて収容可能なキャップシート部材５８Ｂとを備えている。これにより、通路３内空間における前記延在方向の両端部が、エンドキャップ５８のキャップシート部材５８Ｂによりそれぞれ開閉可能とされている。
【０１４０】
（第５実施形態）
次に、本発明の第５の実施形態に係る電算機室用空調システム６０、７０について、図２３〜図２５を参照して説明する。尚、前述の実施形態と同一部材には同一の符号を付し、その説明を省略する。
【０１４１】
図２３に示すように、本実施形態の電算機室１では、通路３を挟んだ一方側（図２３における右側）及び他方側（図２３における左側）に機器収容用ラック７がそれぞれ配列されている。そして、二重床４の床開口部５が、通路３の幅方向の全長に亘り形成されている。また、通路３は複数設けられており、これら通路３のうち電算機室１の壁面１Ａに隣接する通路３Ａには、前記他方側の機器収容用ラック７は設けられていない。
【０１４２】
電算機室用空調システム６０は、遮蔽体１１の側壁部１３が、柔軟性を有するシート部材５３からなり、このシート部材５３は、その上端部において天壁部１２の前記背面７Ｄ側の端部とは反対側の端部に連結されている。また、シート部材５３は、その下端部の操作軸５５が、二重床４上における通路３の幅方向に沿う前記他方側の端部に連結されている。尚、操作軸５５は、通路３の前記他方側に配置された機器収容用ラック７の背面７Ｄにおける下端部に連結されていてもよい。
【０１４３】
また、側壁部１３のシート部材５３と天壁部１２とのなす交差角θは、鈍角に設定されている。そして、シート部材５３の通路３内空間とは反対側の側方空間における上端部を通して、前記他方側の機器収容用ラック７の背面７Ｄから吹き出された温熱空気が上方空間へと送り出されるようにされている。
そして、図２４に示すように、この側壁部１３は、シート部材５３を操作軸５５を中心に巻き回した状態で、マジックテープ（登録商標）（面ファスナー）６１等を用い固定して収容可能とされている。
【０１４４】
また、遮蔽体１１において、天壁部１２のうち通路３内空間の上方に位置する部位には、該通路３内空間とその上方空間とを区画するシート部材６２が配設されている。シート部材６２は、柔軟性を有する材料からなり、前述したシート部材５３と同様に巻き回されて収容可能とされている。
【０１４５】
この電算機室用空調システム６０によれば、遮蔽体１１の重量がより削減されて軽量化でき、設置が容易である。また、メンテナンス等の作業スペースを簡便に確保できる。さらに、天壁部１２のシート部材６２が収容可能であるので、通路３内空間の上方空間に配置された照明等に容易にアクセスできる。
【０１４６】
また、電算機室用空調システム７０は、側壁部１３が電算機室１の壁面１Ａにより形成されている。この場合、例えば、天壁部１２の前記背面７Ｄ側とは反対側の端部が壁面１Ａに固定支持されると、地震等により機器収容用ラック７が振動又は揺動した際に、天壁部１２が破損する虞がある。そこで、この電算機室用空調システム７０は、天壁部１２の前記端部と壁面１Ａとの間に、前述の振動又は揺動が生じた際に互いに接触しない程度の隙間を設けているとともに、天壁部１２の前記端部と壁面１Ａとを繋ぐ補助部材７１を備えている。
【０１４７】
天壁部１２の補助部材７１は、柔軟性を有するシート状に形成されており、通路３内空間とその上方空間とを区画している。また、図２５に示すように、補助部材７１は、断面Ｃ字状に弛まされているとともに、その前記幅方向の両端部が面ファスナー等で着脱可能とされている。
【０１４８】
尚、本発明は前述した実施形態に限定されるものではなく、本発明の趣旨を逸脱しない範囲において種々の変更を加えることが可能である。
また、本発明の主旨を逸脱しない範囲で、前述した実施形態における構成要素を周知の構成要素に置き換えることは適宜可能であり、また、これら実施形態を適宜組み合わせてもよい。
【符号の説明】
【０１４９】
１  電算機室
１Ａ  壁面（側壁部）
２  内部空間
３  通路
４  二重床（床）
５  床開口部
７  機器収容用ラック
７Ａ  機器収容用ラックの前面
７Ｂ  機器収容用ラックの上面
７Ｄ  機器収容用ラックの背面
８  空気調和装置
１０、３０、４０、５０、６０、７０  電算機室用空調システム
１１  遮蔽体
１２  天壁部
１２Ａ、４６  軸部
１３  側壁部
１５  キャスター部材
１７  スポンジゴム（シール部）
１８、１９、５８  エンドキャップ（端部遮蔽体）
１８Ｃ  拡張部材
１９Ａ  レール部材
１９Ｂ  扉部材
２１  弾性ヒンジ部材
３１  ヒンジ部材
４１  可撓部
４４  シール部
５１  固定部
５２  支持部
５３  シート部材
５８Ａ  ロール部材
５８Ｂ  キャップシート部材
Ｌ  機器収容用ラックの前面と側壁部との間の距離
θ  天壁部と側壁部とのなす交差角
【図１】
0005507213.tif 000002
【図２】
0005507213.tif 000003
【図３】
0005507213.tif 000004
【図４】
0005507213.tif 000005
【図５】
0005507213.tif 000006
【図６】
0005507213.tif 000007
【図７】
0005507213.tif 000008
【図８】
0005507213.tif 000009
【図９】
0005507213.tif 000010
【図１０】
0005507213.tif 000011
【図１１】
0005507213.tif 000012
【図１２】
0005507213.tif 000013
【図１３】
0005507213.tif 000014
【図１４】
0005507213.tif 000015
【図１５】
0005507213.tif 000016
【図１６】
0005507213.tif 000017
【図１７】
0005507213.tif 000018
【図１８】
0005507213.tif 000019
【図１９】
0005507213.tif 000020
【図２０】
0005507213.tif 000021
【図２１】
0005507213.tif 000022
【図２２】
0005507213.tif 000023
【図２３】
0005507213.tif 000024
【図２４】
0005507213.tif 000025
【図２５】
0005507213.tif 000026
【図２６】
0005507213.tif 000027
【図２７】
0005507213.tif 000028
【図２８】
0005507213.tif 000029